(57)【要約】【課題】電動スイッチ類の操作性向上を図ると同時に誤動作の防止を確実に図り、かつキャビネット等と各種物品との接触防止等の安全性も十分に確保できる電動昇降吊戸棚を提供することを目的とする。【解決手段】建物上部に電動式昇降機構によって昇降するキャビネット２を設け、このキャビネットの下方部位に電動式昇降機構を操作するための昇降操作部を配置し、キャビネットの下方にこのキャビネットと一体動作する左右方向に沿うバー５１を設け、昇降操作部は、電源スイッチ５６と操作パネル５５とを有するものとし、バー５１の上方位置に配置する。【選択図】  図１
2005021306.tif 000002
【特許請求の範囲】
【請求項１】
手動操作用の操作部を有する電動式昇降機構によって昇降するキャビネットを建物上部に設けた電動昇降吊戸棚において、前記電動式昇降機構の操作部は、前記キャビネットの動作を全昇降ストロークに亘る連続動作として設定する第１段入力操作用のオートスイッチと、このオートスイッチに追随する入力操作のみにより前記キャビネットの実動作指令を出力し得る第２段操作用の昇降レバーとを有する自動昇降手段を備えたことを特徴とする電動昇降吊戸棚。
【請求項２】
前記自動昇降手段は、前記オートスイッチおよび前記昇降レバーを順次に入力操作した後に、前記オートスイッチ、前記昇降レバーまたは前記操作部に設けられた他のスイッチ類のいずれかの入力操作があった場合に、前記キャビネットの昇降動作を停止させる停止手段を備えた請求項１記載の電動昇降吊戸棚。
【請求項３】
前記自動昇降手段または前記停止手段は、前記キャビネットの上昇時のみ機能する請求項１または２記載の電動昇降吊戸棚。
【請求項４】
前記キャビネットの下降限を定める位置センサ、および前記キャビネットの下降時に当該キャビネットの下方に存在する障害物を検知し、前記電動式昇降機構に停止指令を出力する障害物検知手段の少なくともいずれかを備えた請求項１記載の電動昇降吊戸棚。
【発明の詳細な説明】
【０００１】
【発明の属する技術分野】
本発明は、電動式昇降機構によりキャビネットを昇降動作させ、建物上部空間の有効利用を図った電動昇降吊戸棚に係り、特にシステムキッチンの天井ユニットに組込まれる食器乾燥器、水切り棚、収納庫等において、キャビネットの昇降操作を容易かつ安全に行えるようにした電動昇降吊戸棚に関する。
【０００２】
【従来の技術】
例えばシステムキッチンに食器乾燥器等として適用される電動昇降吊戸棚においては、乾燥用の熱源や温風供給用駆動部等の電源操作用スイッチ類、昇降するキャビネットの移動、停止、方向選択等の動作制御用操作部を必要とする。
【０００３】
この場合、キャビネットは調理台やシンクの上方に配置され、キャビネットの下方には種々の道具や機材、食材が置かれたり、水等が使用される環境であるため、キャビネットまたはキャビネットに付属したハンドル等にスイッチ類や操作部が設けられることが多い（例えば特許文献１参照）。
【０００４】
しかし、キャビネット自体が移動機器であるため、これと一体的に移動するスイッチ類は一般に操作し難く、それ自体が誤動作の要因となることに加え、利用者は能率上、片手操作を行うことが普通であり、スイッチ類の場所、配列等によっても誤操作の要因が含まれている。
【０００５】
また、電動昇降吊戸棚の場合、食器籠から食器がはみ出した状態でキャビネットを上昇させて自動開閉扉と干渉し、食器等を破損すること等を想定し、一度の操作で全自動的にキャビネットを全ストローク昇降動作させることは好ましくないと考えられている。そのため、昇降レバー等を操作している間だけキャビネット等の昇降動作が行われ、手を離した場合には動作が停止する操作機構を採用することが一般的である。
【０００６】
【特許文献１】
特開２００３−９９６２号公報
【０００７】
【発明が解決しようとする課題】
しかしながら、上述した昇降レバーのみを操作する従来の装置では、昇降動作に対する利便性が得られず、またスピーディな昇降操作を得ることが困難である。
【０００８】
また、上記特許文献１に記載された公知技術では、比較的短いハンドルの表面にスイッチ類を配し、使用者が片手で操作する場合には、ハンドルを握った手の指をハンドルと平行な方向に向けて操作するようになっている。
【０００９】
この場合、ハンドルを握った状態でハンドルと平行な方向にスイッチ操作できるのは親指ぐらいであり、多種のスイッチ操作は困難であり、操作性に欠けるとともに、誤操作を生じ易い。
【００１０】
一方、キャビネットを下降させる場合、下方の調理台等の上に配置されている各種物品に接触し、物品が破損する可能性がある。従来のハンドル類は左右方向に比較的短く、ハンドルが通過したとしても、その付近にある物品にキャビネットが接触する可能性はかなり高い。
【００１１】
また、食器乾燥器に適用する場合には、キャビネットに水受皿を着脱可能に保持する構造が必要となる。この水受皿はキャビネットから出し入れすることから、スイッチ類に接近した配置であると、スイッチ類に水がかかる可能性がある。
【００１２】
本発明はこのような事情に鑑みてなされたもので、操作部から一旦自動昇降動作指令を出力すればその後はレバー等を押し続ける必要なく、キャビネットの昇降動作が自動的に全ストローク分継続できるようにし、レバー等を連続的に押し続ける煩わしさをなくし、これにより操作の容易化が図れる一方、その自動連続動作に対する誤操作による自動連続動作の指令を行うことを未然に防止し、常に操作を安全に行うことができる電動昇降吊戸棚を提供することを目的とする。
【００１３】
【課題を解決するための手段】
上記の目的を達成するため、請求項１に係る発明では、手動操作用の操作部を有する電動式昇降機構によって昇降するキャビネットを建物上部に設けた電動昇降吊戸棚において、前記電動式昇降機構の操作部は、前記キャビネットの動作を全昇降ストロークに亘る連続動作として設定する第１段入力操作用のオートスイッチと、このオートスイッチに追随する入力操作のみにより前記キャビネットの実動作指令を出力し得る第２段操作用の昇降レバーとを有する自動昇降手段を備えたことを特徴とする電動昇降吊戸棚を提供する。
【００１４】
請求項２に係る発明では、前記自動昇降手段は、前記オートスイッチおよび前記昇降レバーを順次に入力操作した後に、前記オートスイッチ、前記昇降レバーまたは前記操作部に設けられた他のスイッチ類のいずれかの入力操作があった場合に、前記キャビネットの昇降動作を停止させる停止手段を備えた請求項１記載の電動昇降吊戸棚を提供する。
【００１５】
請求項３に係る発明では、前記自動昇降手段または前記停止手段は、前記キャビネットの上昇時のみ機能する請求項１または２記載の電動昇降吊戸棚を提供する。
【００１６】
請求項４に係る発明では、前記キャビネットの下降限を定める位置センサ、および前記キャビネットの下降時に当該キャビネットの下方に存在する障害物を検知し、前記電動式昇降機構に停止指令を出力する障害物検知手段の少なくともいずれかを備えた請求項１記載の電動昇降吊戸棚を提供する。
【００１７】
【発明の実施の形態】
以下、本発明に係る電動昇降吊戸棚の一実施形態について図面を参照して説明する。なお、本実施形態は、一例として、システムキッチンにおける天井設置式の昇降式食器乾燥機として適用する場合について説明する。ただし、その他の電動昇降吊戸棚、例えば乾燥庫、水切り棚等、種々の吊戸棚に適用することができる。
【００１８】
まず、図４により、昇降式食器乾燥機の全体構成について説明する。本実施形態の昇降式食器乾燥機は、基本的に、天井またはその付近に設置される外箱１と、この外箱１に昇降可能に設けられたキャビネットとしての内箱２とを有し、外箱１の前面には扉３が設けられている。
【００１９】
外箱１は、天板１ａ、前垂板１ｂ、両側板１ｃ、背板１ｄ等により構成され、下端全面および前面の前垂板１ｂ以外の部分が開口している。この外箱１の両側板１ｃの内面に、内箱２を昇降ガイドするための縦長なガイドレール４がそれぞれ設けられ、天板１ａの内面（下面）には部品支持用のフレーム５が設けられている。この外箱１の前垂板１ｂに、扉３がその上端縁部の例えば３個所に設けたヒンジ６を介して連結され、これにより扉３は上端縁部を支点として下端側を前後方向に回動し得る構成となっている。
【００２０】
内箱２は食器乾燥機本体を構成するもので、上板２ａ、下板２ｂ、両側板２ｃおよび背板２ｄにより前面が開口する形状とされ、内部に上下２段の食器籠７を有している。この内箱２の両側板２ｃの外面間の寸法が、外箱１の両側板１ｃの内面間の寸法よりも僅かに小さく設定され、これら各側板１ｃ，２ｃ間にそれぞれ縦長な幅狭い側方空間８が形成されている。なお、内箱２の高さは外箱１より十分小さく、内箱２上方に機器スペースが形成されるようになっている。
【００２１】
内箱２は外箱１に昇降機構９により昇降可能に支持されている。この昇降機構９は例えばベルト式昇降機構であり、外箱１のフレーム５に取付けたモータ１０と、このモータ１０にギア等の動力伝達機構１１を介して連結された巻取りドラム１２と、このドラムに巻装されるベルト１３と、ベルト１３を下方に案内するベルトローラ１４と、内箱２の天板２ａにブラケット１５を介して支持された内箱吊上げ用の吊上げローラ１６と、ベルト１３の端部をフレーム５部位で止着する止着具１７とを有する。
【００２２】
この昇降機構９のベルト１３は例えば２本構成であり、その各ベルト１３により内箱２の左右２箇所が吊上げられる方式となっている。各ベルト１３は、一つの巻取りドラム１２に同時に巻上げられ、それにより内箱２が常時一定姿勢で昇降することができる。内箱２の両側板２ｃの外面部にはそれぞれスライダ４ａが設けられ、このスライダ４ａが外箱１のガイドレール４に案内されることにより、確実に内箱２の昇降時の姿勢が安定する。
【００２３】
内箱２の天板２ａ上には送風機１８、ヒータ１９およびダクト２０が設けられ、送風口２１を介して内箱２に温風が供給されるようになっている。なお、内箱２の内底部には傾斜したドレン受け用の集水部２２が設けられ、この集水部で集められるドレンは排水口２３を介して、底板２ｂの前方側に着脱可能に設けた水受皿５０に貯留されるようになっている。すなわち、内箱２の下端位置に設けられた集水部２２と、この集水部２２の下方に配置され、内箱２の前方への抜き差しにより着脱可能とされた水受皿５０とにより水受部が形成され、水受皿５０は、内箱２の前面に設けられた扉３の閉塞時に当該扉３の下端部によって塞がれる配置とされている。また、この水受皿５０は、内箱２の左右いずれか一方の端部側、例えば図面に向って左側（以下、この位置を「左側」といい、図面に向って右側を「右側」という。）に配置されている。
【００２４】
操作部のスイッチを介しての下降指令の出力により巻取りドラム１２が回転して内箱２が下降し、また上昇指令の出力により、内箱２が上昇する。
【００２５】
本実施形態では、内箱２と扉３とが、外箱１と内箱２との各側板１ｃ，２ｃ間に形成される側方空間８に配設したリンク機構３３によって連結されている。各リンク機構３３は、各２本ずつのアーム３４，３５により構成され、内箱２の昇降に伴って扉３を開閉させるようになっている。また、扉３の上端側支点近傍位置と外箱１とは、引張りコイルばね３６によって接続され、これにより扉３には常閉方向の付勢力が常時付与されている。
【００２６】
次に、図１〜図３、図７、図８等により、キャビネットとしての内箱２の下方部位に電動式昇降機構を操作するための昇降操作部を配置した電動昇降吊戸棚について、電動スイッチ類の操作性向上、誤動作防止、安全性確保等のための構成について説明する。
【００２７】
図１、図７および図８は、昇降式食器乾燥機の外観を全体的に示している。これらの図に示すように、キャビネットとしての内箱２の下方部位に、この内箱２と一体動作する左右方向に沿う水平なバー５１が設けられている。このバー５１は、少なくとも内箱２の左右方向の幅寸法の７０％以上に亘る長さ、例えば図示の例では９０％以上の長さを有し、内箱２の下端部の左右方向各端部近傍に前傾下向きに突出した１対の脚部５２，５３の下端部に接続されている。すなわち、バー５１は、各脚部５２，５３よりも下方に配置されている。換言すれば、水平なバー５１の上面の後部側から、後傾形状の斜面を有する脚部５２，５３が左右に分かれて立上り、それらの上端が内箱２の下端部前縁に連結されている。なお、バー５１は図６に示すように、内箱２の前面よりも前方に出っ張らない配置とされており、内箱２が下降する際には、内箱２の前縁の下方において、常にバー５１が先行して同一縦鉛直断面上で下降することになる。
【００２８】
このバー５１は、径方向断面を円形、長円、楕円、または多角形の把持容易な形状とされている。
【００２９】
内箱２を昇降駆動する上記モータ１０等の電動式昇降機構を操作するための昇降操作部は、少なくとも操作パネル５５と、電源スイッチとを有するものとされ、これらは水受皿５０が配置されている左側と逆の端部側、すなわち内箱２の右側の脚部５３の傾斜した上面に設けられている。なお、本実施形態では、電源スイッチは操作パネル５５の一部として組込まれている。すなわち、昇降操作部はバー５１の左右方向のいずれかの部位（本実施形態では、水受皿５０の逆である右側）に配置され、かつバー５１の上方位置に配置されている。なお、昇降操作部は脚部５２，５３のいずれか一方に設けられていればよく、仮に水受皿５０が右側にある場合には昇降操作部は左側配置となる。なお、このことは、内箱２の下部に、食器籠７に収納される食器類からの水を受ける水受部が設けられ、操作パネル５５は、水受部に対して内箱２の左右方向における逆側に配置されていることを意味する。
【００３０】
次に、図２および図３により、操作パネル５５上のスイッチ類およびバー５１に設けた昇降レバー５４等について説明する。
【００３１】
これらの図に示すように、操作パネル５５上には、電源操作用の電源スイッチ５６、内箱２の上昇動作を次の１回の操作により全ストロークの上昇を自動的に行うためのオートスイッチ５７、食器乾燥用ヒータを起動する乾燥スイッチ５８、図示省略の内箱下端に配置した照明ランプをオン・オフするための照明スイッチ、ならびにランプ類として電源オン・オフを知らせる電源ランプ６０、オートスイッチオンを知らせるオートスイッチランプ６１、設定する乾燥時間を表示する乾燥時間表示ランプ６３、乾燥時間を自動制御とする自動制御表示ランプ６２等が配置されている。
【００３２】
昇降レバー５４は、バー５１に組込まれ、操作パネル５５と左右方向略同一位置に配置されている。この昇降レバー５４は回動式のものであり、図３に示すように、手動操作によりバー５１の周方向に回動され、上向きに回動されると内箱２の上昇、下向に回動されると内箱２の下降を指令する。オートスイッチ５７がオンの状態で昇降レバー５４を上向きに一旦操作すると、後は放置状態としてもオート操作として内箱２が最大上昇位置（上述した扉全閉位置）まで連続的に上昇する。なお、オート上昇中、緊急停止機能が付与されている。この緊急停止機能は、オート操作中、いずれかのスイッチ，レバーを方向を問わず操作した場合に上昇動作が緊急停止するものである。
【００３３】
オート操作でない場合には、昇降レバー５４を上向きまたは下向押している間だけ上昇または下降する。すなわち、内箱２の上昇のみオート操作が利き、下降についてはオート操作が利かない設定である。
【００３４】
図５は、上述した機能を得るためのシステム構成を示し、図６は動システムに基づく制御手順を示している。
【００３５】
図５に示したように、本実施形態のシステムでは、昇降レバー５４電源スイッチ５６およびオートスイッチ５７の他に、内箱２の移動距離、移動限等を検出する複数のセンサ６４、および下降時等に機能する障害物検知手段６５等が入力手段として備えられている。
【００３６】
これら入力手段からの入力情報はコントローラ６６に入力され、モータ６７
電源ランプ６０およびオートスイッチランプ６１等に指令信号が出力される。なお、モータ６７からは電流の検知信号がコントローラ６６に入力される。
【００３７】
そして、例えばオートスイッチ５６の操作の後に昇降レバー５４の操作が行われ、自動運転モードに入った場合には、図６に示すように、昇降レバー５４により停止信号が入力されないか監視され（Ｓ１０１，Ｓ１０２）、さらに電源スイッチ５６，オートスイッチ５７等から停止信号が入力されないか監視され（Ｓ１０３）自動運転継続、停止が行われる。
【００３８】
以上の本実施形態によると、内箱２の下方にこの内箱２と一体動作する左右方向に沿うバー２１を設け、昇降操作部は、電源スイッチ５６と操作パネル５５とを有するものとして、バー５１の上方位置に配置したことにより、図３に示すように、バー５１を把持した状態で、電源スイッチ５６および操作パネル５５上の操作が極めて容易に、かつ確実に行える。したがって、良好な作業性の確保と動じに誤操作防止が確実に図れるようになる。
【００３９】
また、昇降操作部は、バー５１の左右方向のいずれかの部位に配置されているので、操作すべき位置が明確であり、かつ脚部５２，５３等を利用して、効率よい構成として実施することができる。
【００４０】
また、バー５１は、内箱２の左右方向の幅寸法の７０％以上に亘る長さを有し、同一鉛直断面上で常に先行して下降するので、内箱２のいわばバンパーとして有効に機能する。すなわち、例えば大型重量物である内箱２が下降時に接触する前に、バー５１が予備接触するので、損傷等が最少限度に抑制される。
【００４１】
また、バー５１は内箱２に脚部５２、５３を介して接続され、この脚部５２、５３のいずれか一方に昇降操作部が設けられているので、操作が容易であり、かつ確実である。
【００４２】
また、内箱２の内部に食器籠７が設けられるとともに、内箱２の下部に食器籠７に収納される食器類からの水を受ける水受部が設けられ、操作パネル５５は、水受部に対し、内箱２の左右方向における逆側に配置されているので、スイッチ類と水との接触防止も有効に図れ安全性向上に寄与するものとなる。
【００４３】
また、バー５１は、径方向断面を円形、長円、楕円、または多角形の把持容易な形状とされているので、操作が容易である。
【００４４】
さらに、水受部は、内箱２の下端位置に設けられた集水部と、この集水部の下方に配置され、内箱２の前方への抜き差しにより着脱可能とされた水受皿５０とを備え、水受皿５０は、キャビネットの前面に設けられた扉３の閉塞時に当該扉３の下端部によって塞がれる配置とされているので、内箱上昇時には、水受皿５０が確実に扉３によって内箱２の内方に押動され、水漏れ等が確実に防止される。
【００４５】
【発明の効果】
以上で詳述したように、本発明によれば、電動スイッチ類の操作性向上が図れると同時に、誤動作の防止も確実に図れ、しかもキャビネット等と各種物品との接触防止対策も可能となり、安全性も十分に確保できるようになる。
【図面の簡単な説明】
【図１】本発明に係る電動昇降吊戸棚の一実施形態を示す概略斜視図。
【図２】図１における操作部を示す拡大図。
【図３】図２におけるスイッチ操作用のパネルを示す拡大図。
【図４】本発明の一実施形態におけるキャビネットの駆動機構等を示す斜視図。
【図５】本発明の一実施形態におけるシステム構成図。
【図６】本発明の制御手順を示すフローチャート。
【図７】本発明に係る電動昇降吊戸棚の一実施形態を示す概略平面図。
【図８】本発明に係る電動昇降吊戸棚の一実施形態を示す概略側面図。
【符号の説明】
１  外箱
２  内箱
３  扉
４  ガイドレール
４ａ  スライダ
５  フレーム
６  ヒンジ
７  受具
８  側方空間
９  昇降機構
１０  モータ
１１  動力伝達機構
１２  巻取りドラム
１３  ベルト
１４  ベルトローラ
１５  ブラケット
１６  吊上げローラ
１７  止着具
１８  送風機
１９  ヒータ
２０  ダクト
２１  送風口
２２  ドレン受け
２３  排水口
２４  ドレン貯め
２５  ランプ、入力スイッチ等
２６  パネル
２７  操作レバー
２８  支点ピン
２９  アクチュエータ
３０，３１  リミットスイッチ
３２  制御装置
３３  リンク
バー  ５１
５２，５３  脚部
５５  操作パネル
５０  水受皿
５６  昇降レバー電源スイッチ
５７  オートスイッチ
５８  乾燥スイッチ
６０  電源ランプ電源ランプ
６１  オートスイッチランプ
６３  乾燥時間表示ランプ
６２  自動制御表示ランプ
【図１】
2005021306.tif 000003
【図２】
2005021306.tif 000004
【図３】
2005021306.tif 000005
【図４】
2005021306.tif 000006
【図５】
2005021306.tif 000007
【図６】
2005021306.tif 000008
【図７】
2005021306.tif 000009
【図８】
2005021306.tif 000010